【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】  
所定の方向に配列された複数の記録素子を有する記録ヘッドを有し、記録媒体を搬送させて画像を記録する画像記録装置であって、
画像データに基づいて前記画像を記録するときに前記記録ヘッドに供給すべき電力を予測する予測手段と、
前記予測手段により予測された電力に基づいて前記記録媒体の搬送速度を設定する設定手段と、
前記設定手段により設定された搬送速度と画像の濃度に基づいて、予め定められたパルス数の駆動パルスを前記記録ヘッドに印加して前記記録媒体に対して画像の記録を行う画像記録手段と、
を有することを特徴とする画像記録装置。
【請求項２】  
前記予測手段は、前記画像データに基づいて記録される前記画像を階調別の領域に区分し、区分された領域の記録に要する電力に基づいて前記電力を予測することを特徴とする請求項１に記載の画像記録装置。
【請求項３】  
前記予測手段は、前記画像データに基づいて記録される前記画像を濃度別の領域に区分し、区分された領域の記録に要する電力に基づいて前記電力を予測することを特徴とする請求項１に記載の画像記録装置。
【請求項４】  
前記画像は複数のインクを使用して記録されるカラー画像であり、前記領域はインクの色毎に区分されていることを特徴とする請求項１乃至請求項３のいずれか１項に記載の画像記録装置。
【請求項５】  
前記画像は複数のインクを使用して記録されるカラー画像であり、前記階調は前記複数のインクを混色して形成される色の階調であることを特徴とする請求項１または請求項２に記載の画像記録装置。
【請求項６】  
前記設定手段には異なる搬送速度と搬送速度毎に各搬送速度にて記録できる濃度が登録されており、前記設定手段は、登録されている搬送速度の中から設定する速度を選択することを特徴とする請求項１乃至請求項５のいずれか１項に記載の画像記録装置。
【請求項７】
前記パルス数は１ライン毎に前記記録ヘッドに印加されることを特徴とする請求項１乃至請求項６のいずれか１項に記載の画像記録装置。
【請求項８】  
所定の方向に配列された複数の記録素子を有する記録ヘッドを有し、記録媒体を搬送させて画像を記録する画像記録装置であって、
画像の濃度に基づいて記録媒体を搬送する搬送速度と記録ヘッドに印加する駆動パルスのパルス数についてのデータを保持する記憶手段と、
画像データに基づいて前記画像を記録するときに前記記録ヘッドに供給すべき電力を予測する予測手段と、
前記予測手段により予測された電力と記録すべき画像の濃度とに基づいて、前記記録媒体の搬送速度と前記記録ヘッドに印加する駆動パルスのパルス数を選択する選択手段と、
前記選択手段により選択された搬送速度とパルス数とに従って、前記記録媒体に対して画像の記録を行う画像記録手段と、
を有することを特徴とする画像記録装置。
【請求項９】  
所定の方向に配列された複数の記録素子を有する記録ヘッドを用い、記録媒体を搬送させて画像を記録する画像記録方法であって、
画像データに基づいて前記画像を記録するときに前記記録ヘッドに供給すべき電力を予測する予測工程と、
前記予測工程により予測された電力に基づいて前記記録媒体の搬送速度を設定する設定工程と、
前記設定工程により設定された搬送速度と画像の濃度に基づいて、予め定められたパルス数の駆動パルスを前記記録ヘッドに印加して前記記録媒体に対して画像の記録を行う画像記録工程と、
を有することを特徴とする画像記録方法。
【請求項１０】  
所定の方向に配列された複数の記録素子を有する記録ヘッドを用い、記録媒体を搬送させて画像を記録する画像記録方法であって、
画像の濃度に基づいて前記記録媒体を搬送する搬送速度と前記記録ヘッドに印加する駆動パルスのパルス数についてのデータを記憶手段に格納する格納工程と、
画像データに基づいて前記画像を記録するときに前記記録ヘッドに供給すべき電力を予測する予測工程と、
前記予測工程により予測された電力と記録すべき画像の濃度とに基づいて、前記記録媒体の搬送速度と前記記録ヘッドに印加する駆動パルスのパルス数を選択する選択工程と、
前記選択工程にて選択された搬送速度とパルス数とに従って、前記記録媒体に対して画像の記録を行う画像記録工程と、
を有することを特徴とする画像記録方法。
【手続補正２】
【補正対象書類名】明細書
【補正対象項目名】００１０
【補正方法】変更
【補正の内容】
【００１０】
【課題を解決するための手段】
上記目的を達成するための本発明に係る一実施形態の画像形成装置は、下記の構成を備える。すなわち、所定の方向に配列された複数の記録素子を有する記録ヘッドを有し、記録媒体を搬送させて画像を記録する画像記録装置であって、画像データに基づいて前記画像を記録するときに前記記録ヘッドに供給すべき電力を予測する予測手段と、前記予測手段により予測された電力に基づいて前記記録媒体の搬送速度を設定する設定手段と、前記設定手段により設定された搬送速度と画像の濃度に基づいて、予め定められたパルス数の駆動パルスを前記記録ヘッドに印加して前記記録媒体に対して画像の記録を行う画像記録手段と、を有することを特徴とする。
【手続補正３】
【補正対象書類名】明細書
【補正対象項目名】００１１
【補正方法】変更
【補正の内容】
【００１１】
また例えば、前記予測手段は、前記画像データに基づいて記録される前記画像を階調別の領域に区分し、区分された領域の記録に要する電力に基づいて前記電力を予測することを特徴とする。また例えば、前記予測手段は、前記画像データに基づいて記録される前記画像を濃度別の領域に区分し、区分された領域の記録に要する電力に基づいて前記電力を予測することを特徴とする。
【手続補正４】
【補正対象書類名】明細書
【補正対象項目名】００１２
【補正方法】変更
【補正の内容】
【００１２】
また例えば、前記画像は複数のインクを使用して記録されるカラー画像であり、前記領域はインクの色毎に区分されていることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また例えば、前記設定手段には異なる搬送速度と搬送速度毎に各搬送速度にて記録できる濃度が登録されており、前記設定手段は、登録されている搬送速度の中から設定する速度を選択することを特徴とする。また例えば、前記パルス数は１ライン毎に前記記録ヘッドに印加されることを特徴とする。また、上記目的を達成するための本発明に係る一実施形態の画像形成装置は、以下の構成を有する。すなわち、所定の方向に配列された複数の記録素子を有する記録ヘッドを有し、記録媒体を搬送させて画像を記録する画像記録装置であって、画像の濃度に基づいて記録媒体を搬送する搬送速度と記録ヘッドに印加する駆動パルスのパルス数についてのデータを保持する記憶手段と、画像データに基づいて前記画像を記録するときに前記記録ヘッドに供給すべき電力を予測する予測手段と、前記予測手段により予測された電力と記録すべき画像の濃度とに基づいて、前記記録媒体の搬送速度と前記記録ヘッドに印加する駆動パルスのパルス数を選択する選択手段と、前記選択手段により選択された搬送速度とパルス数とに従って、前記記録媒体に対して画像の記録を行う画像記録手段と、を有することを特徴とする。
【手続補正７】
【補正対象書類名】明細書
【補正対象項目名】００１６
【補正方法】変更
【補正の内容】
【００１６】
上記目的を達成するための本発明に係る一実施形態の画像形成方法は、下記の構成を備える。すなわち、所定の方向に配列された複数の記録素子を有する記録ヘッドを用い、記録媒体を搬送させて画像を記録する画像記録方法であって、画像データに基づいて前記画像を記録するときに前記記録ヘッドに供給すべき電力を予測する予測工程と、前記予測工程により予測された電力に基づいて前記記録媒体の搬送速度を設定する設定工程と、前記設定工程により設定された搬送速度と画像の濃度に基づいて、予め定められたパルス数の駆動パルスを前記記録ヘッドに印加して前記記録媒体に対して画像の記録を行う画像記録工程と、を有することを特徴とする。また、本発明に係る一実施形態の画像形成方法は、以下の構成を有する。すなわち、所定の方向に配列された複数の記録素子を有する記録ヘッドを用い、記録媒体を搬送させて画像を記録する画像記録方法であって、画像の濃度に基づいて前記記録媒体を搬送する搬送速度と前記記録ヘッドに印加する駆動パルスのパルス数についてのデータを記憶手段に格納する格納工程と、画像データに基づいて前記画像を記録するときに前記記録ヘッドに供給すべき電力を予測する予測工程と、前記予測工程により予測された電力と記録すべき画像の濃度とに基づいて、前記記録媒体の搬送速度と前記記録ヘッドに印加する駆動パルスのパルス数を選択する選択工程と、前記選択工程にて選択された搬送速度とパルス数に従って、前記記録媒体に対して画像の記録を行う画像記録工程と、を有することを特徴とする。
【手続補正８】
【補正対象書類名】明細書
【補正対象項目名】００１７
【補正方法】変更
【補正の内容】
【００１７】
上記目的を達成するための本発明に係る一実施形態の画像形成方法は、下記の構成を備える。すなわち、所定の方向に配列された複数の記録素子を有する記録ヘッドを用い、記録媒体を搬送させて画像を記録する画像記録方法であって、画像の濃度に基づいて前記記録媒体を搬送する搬送速度と前記記録ヘッドに印加する駆動パルスのパルス数についてのデータを記憶手段に格納する格納工程と、画像データに基づいて前記画像を記録するときに前記記録ヘッドに供給すべき電力を予測する予測工程と、前記予測工程により予測された電力と記録すべき画像の濃度とに基づいて、前記記録媒体の搬送速度と前記記録ヘッドに印加する駆動パルスのパルス数を選択する選択工程と、前記選択工程にて選択された搬送速度とパルス数とに従って、前記記録媒体に対して画像の記録を行う画像記録工程と、を有することを特徴とする画像記録方法。